(57)【要約】【課題】  作業性の改善がなされて施工性の向上を図ることができる貫通孔閉塞治具を提供する点にある。【解決手段】  構造体Ｂに形成された貫通孔１を挿通する長尺被挿通物Ｃに外装可能なように構造体の外側面に取付けられる環状保持枠１０を備え、この環状保持枠１０の底部に、貫通孔の開口周縁よりも長尺物側に張り出す状態で接地フランジ部１２Ｄが設けられ、長尺被挿通物と交差する状態で接地フランジ部１２Ｄに対面状態で宛がって貫通孔１を閉蓋可能な底板金具４０が備えられて、環状保持枠１０の内面と、長尺被挿通物Ｃの外周面と、底板金具４０とで囲まれた空間に充填して、貫通孔を閉塞する耐熱性充填材２０を備えた構成において、接地フランジ部１２Ｄと底板金具４０の間に、垂直方向に沿う縦姿勢で前記底板金具４０を仮置き状態に保持可能な保持手段３０が設けられている。【選択図】        図４
2005213990.tif 000002
【特許請求の範囲】
【請求項１】
構造体に形成された貫通孔を挿通する長尺被挿通物に外装可能なように構造体の外側面に取付けられる環状保持枠を備え、この環状保持枠の底部に、貫通孔の開口周縁よりも長尺物側に張り出す状態で接地フランジ部が設けられ、長尺被挿通物と交差する状態で接地フランジ部に対面状態で宛がって貫通孔を閉蓋可能な底板金具が備えられて、環状保持枠の内面と、長尺被挿通物の外周面と、底板金具とで囲まれた空間に充填して、貫通孔を閉塞する耐熱性充填材を備えた貫通孔閉塞治具であって、
接地フランジ部と底板金具の間に、垂直方向に沿う縦姿勢で前記底板金具を仮置き状態に保持可能な保持手段が設けられている貫通孔閉塞治具。
【請求項２】
前記保持手段が、環状保持枠の接地フランジ部に沿って水平方向にスライド可能な状態で、底板金具を仮置き可能に形成されている請求項１記載の貫通孔閉塞治具。
【請求項３】
前記保持手段が、底板金具を長尺被挿通物の長手方向に沿う前後方向に重ね合わせた状態で保持可能に構成されている請求項１又は２記載の貫通孔閉塞治具。
【発明の詳細な説明】
【技術分野】
【０００１】
本発明は、貫通孔閉塞治具に関し、詳しくは、構造体に形成された貫通孔を挿通する長尺被挿通物に外装可能なように構造体の外側面に取付けられる環状保持枠を備え、この環状保持枠の底部に、貫通孔の開口周縁よりも長尺物側に張り出す状態で接地フランジ部が設けられ、長尺被挿通物と交差する状態で接地フランジ部に宛がって貫通孔を閉蓋可能な底板金具が備えられて、環状保持枠の内面と、長尺被挿通物の外周面と、底板金具とで囲まれた空間に充填して、貫通孔を閉塞する耐熱性充填材を備えた貫通孔閉塞治具に関する。
【背景技術】
【０００２】
従来、この種の貫通孔閉塞治具において、床等の構造体に対しては、環状保持枠を水平な埋設状態に横置き配備し、壁等の構造体に対しては、環状保持枠を垂直な埋設状態に縦置き配備して、貫通孔を挿通する冷媒配管等の長尺挿通物の外周面と、環状保持枠の内面と，環状保持枠の中間の段差部に配置される底板金具との間に耐熱性充填材を充填して、貫通孔を閉塞するのもが存在している（例えば、特許文献１参照）。
このような構造の貫通孔閉塞治具においては、特に、壁等の貫通孔に対して用いる場合、貫通孔に挿通されている長尺挿通物と交差する方向に底板金具を、環状保持枠の中間の段差部に宛がう立て掛け姿勢で縦置きし、この状態で耐熱性充填材の充填作業が実施されている。
【０００３】
【特許文献１】特開平８−２１８６１０号公報（第４−６頁、図１〜図４）
【発明の開示】
【発明が解決しようとする課題】
【０００４】
ところが、このような充填作業において、環状保持枠に振動や変形応力等を伴いながら作業が進行されるので、縦置きされている底板金具が倒れたり位置ずれを生じたりし易く、現実作業においては、作業者が底板金具を倒れたり位置ずれしないように押えながら、耐熱性充填材の充填作業が行われている。
そのため、環状保持枠を縦置き状態で貫通孔の閉塞作業を実施する場合、作業性が悪く、施工し難い問題が提示されている。
本発明は上記の事情に鑑みてなされたものであり、その目的とするところは、作業性の改善がなされて施工性の向上を図ることができる貫通孔閉塞治具を提供する点にある。
【課題を解決するための手段】
【０００５】
本発明の第１番目の貫通孔閉塞治具の特徴構成は、構造体に形成された貫通孔を挿通する長尺被挿通物に外装可能なように構造体の外側面に取付けられる環状保持枠を備え、この環状保持枠の底部に、貫通孔の開口周縁よりも長尺物側に張り出す状態で接地フランジ部が設けられ、長尺被挿通物と交差する状態で接地フランジ部に対面状態で宛がって貫通孔を閉蓋可能な底板金具が備えられて、環状保持枠の内面と、長尺被挿通物の外周面と、底板金具とで囲まれた空間に充填して、貫通孔を閉塞する耐熱性充填材を備えた構成において、接地フランジ部と底板金具の間に、垂直方向に沿う縦姿勢で前記底板金具を仮置き状態に保持可能な保持手段が設けられている点にある。
【０００６】
上記特徴構成によれば、壁等の構造体の外側面に、長尺被挿通物を環状保持枠で外装する縦姿勢に取付けることによって、保持手段を介して底板金具を仮置き状態に保持して、環状保持枠の内面と、長尺被挿通物の外周面と、底板金具とで囲まれた空間に耐熱性充填材を充填して、構造体の貫通孔を閉塞することができる。
【０００７】
そのため、従来のように、縦置きされた底板金具を手で押えながら、耐熱性充填材を充填するような手間で難度が高い作業を行う必要がないので、作業性の改善がなされて施工性の向上を図ることができる。
【０００８】
本発明の第２番目の貫通孔閉塞治具の特徴構成として、前記保持手段が、環状保持枠の接地フランジ部に沿って水平方向にスライド可能な状態で、底板金具を仮置き可能に形成されている点にある。
【０００９】
上記特徴構成によれば、底板金具の仮置き位置を、接地フランジ部の長手方向に沿って変更可能であるので、底板金具の位置合わせ作業がスライド移動といった簡単な操作によって達成することができる。
【００１０】
従って、複数の底板金具を対処する場合であっても、迅速に位置調整を行うことができるので、作業対応性がよく、施工性の向上を図ることができる。
【００１１】
本発明の第３番目の貫通孔閉塞治具の特徴構成は、前記保持手段が、底板金具を長尺被挿通物の長手方向に沿う前後方向に重ね合わせた状態で，仮置き状態に保持可能に構成されている点にある。
【００１２】
上記特徴構成によれば、底板金具が重ね合わせ状態で仮置き状態にすることができるので、貫通孔に挿通された長尺被挿通物の太さやピッチに対応して、重なり合う少なくとも一方の底板金具を互いの底板金具同士が干渉することがない状態で位置変更操作することができる。
【００１３】
従って、例えば、貫通孔に対する長尺被挿通物の太さ、挿通位置、挿通本数等の、長尺被挿通物の状態に対応して、底板金具を位置変更して仮置きすることができるので、現場での施工対応性や迅速作業性の向上を図ることができる。
【発明を実施するための最良の形態】
【００１４】
以下、本発明を適用した貫通孔閉塞治具を図面に基づいて説明する。
【００１５】
〔実施形態〕
この実施形態の貫通孔閉塞冶具Ａは、図２に示すように、壁Ｂなどのコンクリート躯体等の構造体に形成されているとともに、長尺被挿通物の一例である冷房、冷暖房等の断熱配管等が挿通されている貫通孔に対して耐火構造をもって取り付け施工することができるように構成されたものである。
【００１６】
この貫通孔閉塞冶具Ａは、図１、図２、図４に示すように、壁Ｂに形成されて正面視横長の長方形状の貫通孔１の開口寸法よりも大なる内寸法に構成され、かつ、貫通孔１を挿通する１０系統の配管Ｃに外装可能なように壁Ｂの外側面Ｂ１に取付けられる環状保持枠１０と、環状保持枠１０の底部に、貫通孔１の開口周縁１ａから配管Ｃ側に張り出す状態で一体連結された接地フランジ部１２Ｄと、長尺被挿通物Ｃと交差する状態で接地フランジ部１２Ｄに対面状態で宛がって貫通孔１を閉蓋可能な底板金具４０が備えられ、加えて、底板金具４０と環状保持枠１０の内周面と配管Ｃの外周面との間に貫通孔１の開口１Ａを閉塞する状態で充填される熱膨張性の耐熱性充填材２０と、環状保持枠１０の先端開口部１０Ａの長辺部に沿って着脱自在に配備される蓋体５０とから構成されている。
【００１７】
前記接地フランジ部１２Ｄと底板金具４０の間には、保持手段３０を介して環状保持枠１０内に底板金具４０を仮置き可能に構成されている。
【００１８】
前記環状保持枠１０は、貫通孔１の長方形状の短辺に対応する一対の短辺分割枠１１と貫通孔１の長方形状の長辺に対応する一対の長辺分割枠１２とをビス止め連結によって一体化することにより形成されている。
【００１９】
前記短辺分割枠１１は、縦板１１Ａの上下端部から同一方向にフランジ部１１Ｂ，１１Ｃが外側方向に、断面形状がコの字状になるように折り曲げ形成され、且つ、縦板１１Ａの両側上下部には、長辺分割枠１２との連結に用いるタッピングビスａ用の挿通孔１１ａが穿孔されているとともに、下部フランジ部１１Ｃの両側部位には、壁Ｂに対する取付けに用いるコンクリートネジｂ用の挿通孔１１ｂが穿孔されている。
【００２０】
長辺分割枠１２は、縦板１２Ａの上端から貫通孔１から離れる外側方向に上部フランジ部１２Ｂを折り曲げ形成され、縦板１２Ａの下端に、上部フランジ部１２Ｂとは逆方向に下部フランジ部１２Ｃが折り曲げ形成され、この下部フランジ部１２Ｃを介して長方形平板状の接地フランジ部１２Ｄがスポット溶接などによって一体に連結されている。
【００２１】
また、長辺分割枠１２の両端部には、短辺分割枠１１の挿通孔１１ａに対応するビス孔１２ｃが形成された端部フランジ部１２ＡＡが内側に折り曲げ形成されている。
【００２２】
前記接地フランジ部１２Ｄは、下部フランジ部１２Ｃを境にして、貫通孔１側の内側に内向板部分１２Ｄａが配置され、外側に外向板部分１２Ｄｂが配置され、外向板部分１２Ｄｂには、長手方向に沿って壁Ｂに対する取付けに用いるコンクリートネジｂ用の挿通孔１２ａが穿孔されている。
【００２３】
前記長辺分割枠１２の下部フランジ部１２Ｃの中間部分は、図４に示すように、接地フランジ部１２Ｄの内向板部分１２Ｄａから、底板金具４０の一枚分の板厚さよりも僅かに大きな寸法分が離隔する段差状に折り曲げられて、内向板部分１２Ｄａとの間に開口が内側に向く凹溝１２Ｅが長手方向に沿って形成されているとともに、下部フランジ部１２Ｃの凹溝１２Ｅを形成する段差部から先端部分は、先端に向かう程、内向板部分１２Ｄａから離隔する傾斜状に折り曲げられて傾斜ガイド１２Ｆを形成している。
【００２４】
前記底板金具４０は、図１，図２に示すように、略正方形状の板面に対して、左右２等分線上、及び、板面中央の円形線上に沿って、プレスなどによって板厚さを薄肉にしたハーフカット切れ目が形成され、左右の板部分を折り曲げ操作を加える等することによって、中央の円形板が取り除かれて、半円状の切欠開口が左右対称配置に形成された、左右一対の半割板から構成されている。
【００２５】
この底板金具４０は、下端を前記長辺分割枠１２の下部フランジ部１２Ｃと接地フランジ部１２Ｄの内向板部分１２Ｄａとの間に形成された凹溝１２Ｅに差し込んで、上端が上部フランジ部１２Ｃに接当する立ち姿勢の仮置き状態にすることが可能になっている。ここで、環状保持枠１０は、上下の長辺分割枠１２の上下配置を逆にしても構造が変わらない対称構造になっているので、貫通孔１を形成する壁Ｂに対する取付け状態で、下側に位置する長辺分割枠１２の下部フランジ部１２Ｃと接地フランジ部１２Ｄの内向板部分１２Ｄａとの間に形成された凹溝１２Ｅと、下側に位置する長辺分割枠１２の接地フランジ部１２Ｄ内向板部分１２Ｄａとから、接地フランジ部１２Ｄと底板金具４０の間に、垂直方向に沿う縦姿勢で前記底板金具４０を仮置き状態に保持可能にする保持手段３０が構成されている。
【００２６】
前記耐熱性充填材２０は、例えば、火災などによる加熱を受けて体積が膨張するパテ状のものが用いられ、この実施形態では、貫通孔１を挿通する配管Ｃの外周面と、環状保持枠１０の内面との間に充填されて、貫通孔１を閉塞することができる分量のブロック化された必要数が用意され、ブロック化によって充填作業を能率よく行えるようになっている。
【００２７】
前記蓋体５０は、前記環状保持枠１０の各長辺分割枠１２の上部フランジ部１２Ｂにビス止め可能な長方形状の板体から形成されている。この蓋体５０には長手方向に沿ってタッピングビス用の挿通孔５０ａが穿孔され、これに対応するビス受け孔が上部フランジ部１２Ｂに穿孔１２ｂされている。
【００２８】
このような構成であれば、例えば、図３に示すように、壁Ｂに形成された貫通孔１に、１０系統の配管Ｃが挿通状態に配設された後段階で、全配管Ｃを外装するとともに、環状保持枠１０の開口部１０Ａに対して貫通孔１の開口１ａを中央に臨ませた状態で、一対の短辺分割枠１１と、一対の長辺分割枠１２をビス止め連結して環状保持枠１０を組立てた後、この環状保持枠１０を、コンクリートネジｂを介して壁Ｂの外側面Ｂ１に取付け固定する。
【００２９】
この取付け状態では、図４に示すように、長辺分割枠１２が貫通孔１の上下に位置し、下側の長辺分割枠１２側の凹溝１２Ｅは、上方に向いて開口し、上側の長辺分割枠１２側の凹溝１２Ｅは、下方に向いて開口する。
【００３０】
次いで、貫通孔１に挿通された各配管Ｃに対して左右方向から底板金具４０を挟ように、下端を下側に位置する凹溝１２Ｅに傾斜ガイド１２Ｆをガイドにして差し込んで、下端を支持させるとともに、上端を上側の接地フランジ部１２Ｄの内向板部分１２Ｄａに当接状態に立て掛けて、環状保持枠１０内に底板金具４０を仮置き状態にする。この仮置き状態において、凹溝１２Ｅに沿って位置移動調整を行って、左右の底板金具４０の対称となる半円切欠が位置合わせされた円形孔内に配管Ｃが挿通位置する状態となる。
【００３１】
ここで、この実施形態では、図６に示すように、貫通孔１に挿通された１０系統の数の配管Ｃを略等ピッチで配置された場合に、各配管Ｃに対称形態の１０組の底板金具４０が対応して、環状保持枠１０内で全配管Ｃに底板金具４０を、凹溝１２Ｅを介して並設した仮置き状態にすることが可能になっているが、もう一組の底板金具４０が装備されており、貫通孔１を挿通する配管Ｃが１１系統の数の配管Ｃであっても対応可能になっている。
【００３２】
この場合、図７，図８（イ）、（ロ）に示すように、凹溝１２Ｅに下端を差し込んだ底板金具４０の仮置き状態と、傾斜ガイド１２Ｆに下端を載せた底板金具４０の仮置き状態とによって、隣接する底板金具４０同士が、前後に重なり合う仮置き状態を形成して、１系統増えた配管Ｃに対処することができるようになっている。これ以外にも、配管Ｃの外径が小さい場合などにおいても、底板金具４０同士が、前後に重なり合う仮置き状態にして対処することができる。
【００３３】
次いで、図５に示すように、環状保持枠１０の内面と配管Ｃの外周面との間に、環状保持枠１０の先端と略面一になる状態まで耐熱充填材２０を充填する。
【００３４】
そして、環状保持枠１０に２枚の蓋体５０をネジ止め連結して、配管Ｃを挿通状態で貫通孔１を閉塞する貫通孔閉塞冶具Ａの施工を完了する。
【００３５】
尚、この実施形態では、接地フランジ部１２Ｄの下部内向板部分１２Ｄａに対して、下部フランジ部１２Ｃを段差状に折り曲げ形成して、内向板部分１２Ｄａとの間に開口が内側に向く凹溝１２Ｅを形成する例を説明したが、図１０に示すように、下部フランジ部１２Ｃと接地フランジ部１２Ｄの間にスペーサー板ｃを介装して、凹溝１２Ｅを形成する構造であっても、図１１に示すように、平坦な下部フランジ部１２Ｃに対して、接地フランジ部１２Ｄに形成された折り曲げ凸台部１２Ｄｃを当てつけて、凹溝１２Ｅを形成する構造であってもよい。
【００３６】
また、上記実施形態の貫通孔閉塞冶具Ａは、壁Ｂに形成された貫通孔１の配管Ｃに対応して取付けられた例を説明したが、図９に示すように、配管Ｃが挿通された貫通孔１がコンクリート躯体の構造体からなる床ＢＢに形成されたものに対して、載置状態で使用することが可能であり、この場合では、保持手段３０を介して、底板金具４０を落下された位置調整が可能に保持することができる。
【００３７】
さらに、前記短辺分割枠１１、長辺分割枠１２、底板金具４０、蓋体５０は、例えば、板厚さが約１．６ｍｍ程度の鋼板を用いて形成されている。
【００３８】
〔別実施形態〕
１）  上記各実施形態では、貫通孔１を形成する壁Ｂに対する取付け状態で、下側に位置する長辺分割枠１２の下部フランジ部１２Ｃと接地フランジ部１２Ｄの内向板部分１２Ｄａとの間に形成された凹溝１２Ｅと、下側に位置する長辺分割枠１２の接地フランジ部１２Ｄの内向板部分１２Ｄａとから底板金具４０に対する保持手段３０が構成されている例を説明したが、本発明はこれに限らず、接地フランジ部１２Ｄ、又は、底板金具４０の少なくとも何れかに、磁気吸引作用のあるマグネットシール等を貼着して、接地フランジ部１２Ｄに対して底板金具４０を着脱自在になるようにして、接地フランジ部１２Ｄと底板金具４０の間に、垂直方向に沿う縦姿勢で前記底板金具４０を仮置き状態に保持可能にする保持手段を構成してもよい。
【００３９】
また、接地フランジ部１２Ｄと底板金具４０の対面間に、凹凸係合、係止爪と爪受けの係合手段、凹凸嵌合等を用いて、接地フランジ部１２Ｄに対して底板金具４０を仮置き状態にできるようにして、垂直方向に沿う縦姿勢で前記底板金具４０を仮置き状態に保持可能にする保持手段を構成してもよい。
【００４０】
２）  上記実施形態では、数が１０系統の配管Ｃが挿通する貫通孔１に対応する大きさの貫通孔閉塞冶具Ａについて説明したが、本発明はこれに限らず、数が１０系統以下の配管Ｃを挿通する貫通孔に対応する大きさの貫通孔閉塞冶具への適用や、反対に、数が１０系統以上の配管Ｃを挿通する貫通孔に対応する大きさの貫通孔閉塞冶具に適用することができる。
３）  上記実施形態では、凹溝１２Ｅに底板金具４０の一枚分が収まる寸法の溝幅に形成したものについて説明したが、底板金具４０の二枚分が収まる寸法の溝幅に形成したものであつてもよい。
この場合、同じ凹溝を使用して底板金具４０を重ね合わす状態を形成することができる。
【図面の簡単な説明】
【００４１】
【図１】本発明を適用した貫通孔閉塞治具の分解斜視図
【図２】貫通孔と長尺被挿通物と環状保持枠と底板金具との関係を示す分解斜視図
【図３】構造体の貫通孔に長尺被挿通物が挿通する状態を示す簡略縦断面図
【図４】構造体の貫通孔に対応して環状保持枠と底板金具を垂直姿勢で取付け固定した状態を示す簡略縦断面図
【図５】環状保持枠と長尺被挿通物との間に耐熱性充填材し蓋体を連結した状態を示す簡略縦断面図
【図６】環状保持枠に対して底板金具を仮置きした状態を示す正面図
【図７】環状保持枠に対して底板金具を重ね合わせて仮置きした状態を示す要部の正面図
【図８】（イ）凹溝に底板金具を仮置きした要部を示す簡略縦断面図  （ロ）凹溝に底板金具を仮置きしているとともに傾斜ガイドに底板金具を仮置きした要部を示す簡略縦断面図
【図９】構造体の貫通孔に対応して環状保持枠と底板金具を水平姿勢で取付け固定した状態を示す簡略縦断面図
【図１０】凹溝の変形例を示す要部拡大断面図
【図１１】凹溝の変形例を示す要部拡大断面図
【符号の説明】
【００４２】
Ａ                貫通孔閉塞治具
Ｂ                構造体（壁）
Ｂ１              外側面
Ｃ                長尺被挿通物（配管）
１                貫通孔
１０              環状保持枠
１２Ｄ            接地フランジ部
２０              耐熱性充填材
３０              保持手段
４０              底板金具
【図１】
2005213990.tif 000003
【図２】
2005213990.tif 000004
【図３】
2005213990.tif 000005
【図４】
2005213990.tif 000006
【図５】
2005213990.tif 000007
【図６】
2005213990.tif 000008
【図７】
2005213990.tif 000009
【図８】
2005213990.tif 000010
【図９】
2005213990.tif 000011
【図１０】
2005213990.tif 000012
【図１１】
2005213990.tif 000013